(57)【要約】      （修正有）【課題】建物に施工される建材の色柄の組み合わせを確認するとき、確認シートを要することなく容易に、建材の色柄の組み合わせをコーディネートできる冊子を提供する。【解決手段】冊子Ａの見開きページに、収納キャビネット６、ドア７，８、床１及び天井２を有する室内の写真Ｐが、左右ページで同じ室内（リビング）として連続するように印刷され、構図が見開きページ毎に同じでかつ収納キャビネット、ドア、床及び天井の色柄が見開きページ毎に異なっている。見開きページには、収納キャビネット及びドアが床又は天井から切り離されるように上下方向に３つの分割部に分割する上下２つの切り込みＳ，Ｓが綴じ位置Ｂに対して形成され、分割部をめくると、収納キャビネット及びドアが他の見開きページの同じ収納キャビネット及びドアに変更されて元の見開きページにおける床又は天井と組み合わされる。【選択図】図３
2014224884.tif 000002
【特許請求の範囲】
【請求項１】
左右方向に見開き可能に綴じられた複数のページを有し、少なくとも建物に鉛直縦方向に施工される縦建材と水平横方向に施工される横建材との間の色柄の組み合わせを確認するための冊子であって、
見開きページに、少なくとも縦建材及び横建材を有する建物の画像が、左右ページで同じ建物として連続するように、かつ左右長さ及び高さが奥側に向かうに従って小さくなり綴じ位置に向かって収束する消失点を有する一点透視の遠近法で印刷され、
上記印刷された建物の画像は、構図が見開きページ毎に同じでかつ上記縦建材及び横建材の色柄が見開きページ毎に異なっており、
中間に位置する見開きページには、該見開きページを上記建物の画像の縦建材及び横建材の一方が他方の建材から切り離されるように上下方向に複数の分割部に分割する少なくとも１つの切り込みが綴じ位置に対して左右対称に形成され、
上記見開きページの分割部をめくることで、建物の画像の縦建材又は横建材の一方が他の見開きページの建物の画像の同じ建材に変更されて元の見開きページにおける建物の画像の他方の建材と組み合わせ可能とされていることを特徴とする建材コーディネート確認冊子。
【請求項２】
請求項１において、
見開きページに、建物において鉛直縦方向又は水平横方向に対し斜めになった斜め部分に施工される斜め部用建材と、縦建材及び横建材の少なくとも一方とを有する建物の画像が、左右ページで同じ建物として連続するように、かつ綴じ位置に向かって収束する消失点を有する一点透視の遠近法で印刷され、
上記印刷された建物の画像の斜め部用建材の色柄が見開きページ毎に異なっており、
中間に位置する見開きページの切り込みは、上記印刷された建物の画像の斜め部用建材が縦建材及び横建材の少なくとも一方から切り離されるように形成され、
見開きページの分割部をめくることで、建物の画像の斜め部用建材が他の見開きページの建物の画像の斜め部用建材に変更されて元の見開きページにおける建物の画像の縦建材及び横建材の少なくとも一方と組み合わせ可能とされていることを特徴とする建材コーディネート確認冊子。
【請求項３】
請求項１又は２において、
切り込みは折れ線であることを特徴とする建材コーディネート確認冊子。
【請求項４】
請求項２又は３において、
建物の斜め部分に施工される斜め部用建材は、階段の踏板及び該階段の側壁に取り付けられる手摺りあることを特徴とする建材コーディネート確認冊子。
【請求項５】
請求項１又は３において、
見開きページには、該見開きページを上下方向に３つの分割部に分割する２つの切り込みが綴じ位置に対して左右対称に形成されていることを特徴とする建材コーディネート確認冊子。
【請求項６】
請求項１〜５のいずれか１つにおいて、
縦建材は室内における内装壁、建具又はキャビネットであり、
横建材は床であることを特徴とする建材コーディネート確認冊子。
【請求項７】
請求項１〜５のいずれか１つにおいて、
縦建材は室内における内装壁、建具又はキャビネットであり、
横建材は天井であることを特徴とする建材コーディネート確認冊子。
【請求項８】
請求項１〜５のいずれか１つにおいて、
縦建材は室内における内装壁、建具又はキャビネットであり、
横建材は床及び天井であることを特徴とする建材コーディネート確認冊子。
【発明の詳細な説明】
【技術分野】
【０００１】
本発明は、建物に使用される建材同士の色柄の組み合わせを確認するための建材コーディネート確認冊子に関し、特に、建物に施工される床、内装壁、その内装壁に設けられるドアや収納部、階段、天井等の建材の色柄の組み合わせを確認するためのものに関する。
【背景技術】
【０００２】
この種の建材同士の色柄の組み合わせを確認するための建材コーディネート確認ツールとして、本出願人は、特許文献１に示されるように、冊子と確認シートとを組み合わせ、冊子において、その各ページに、縦建材色柄部と横建材色柄部とを直線状の仕切り線で仕切って印刷し、各ページ毎の建材の色柄を互いに異ならせ、縦建材色柄部及び横建材色柄部を仕切り線にて分離しておき、確認シートにおいては、色柄を確認しようとする部分が無色透明部又は開口部とされた縦建材及び横建材と、それら建材間の見切りとを描き、冊子の所定ページ上に確認シートを見切りが見本表示部の仕切り線に一致するように配置して、その無色透明部又は開口部を通して現出した縦建材色柄部及び横建材色柄部の色柄から、縦及び横建材間の色柄の組み合わせを確認するようにしたものを提案している。
【０００３】
この特許文献１のものによれば、縦及び横建材間の色柄の組み合わせを容易に確認できるとともに、建材毎にページを繰って異なる色柄に変更して、縦及び横建材間の色柄の組み合わせ数を増やすことができる。
【先行技術文献】
【特許文献】
【０００４】
【特許文献１】特許第５１５０００５号公報
【発明の概要】
【発明が解決しようとする課題】
【０００５】
ところで、上記特許文献１のものでは、冊子の各ページに縦建材及び横建材の色柄部のみを印刷し、確認シート側に各場所に応じた実際の縦建材及び横建材を見切りと共に描いているので、常に確認シートを冊子と共に用意することが必須となる。また、建物の場所が異なる場合には、それに応じて複数枚の確認シートを用意しておく必要がある。これらのことから、コーディネートの確認には十分な効果があるものの、使い勝手についてみるとやや面倒であり、改善の余地がある。
【０００６】
本発明の目的とするところは、建物に施工される建材の色柄の組み合わせを確認するときに用いられる冊子に改良を加えることにより、確認シートを要することなく容易に、建材の色柄の組み合わせをコーディネートできるようにすることにある。
【課題を解決するための手段】
【０００７】
上記の目的を達成するために、この発明では、冊子の見開きページに、少なくとも鉛直縦方向に施工される内装壁、建具、キャビネット等の縦建材と、水平横方向に施工される天井、床等の横建材とを有する建物の写真やイラスト等による画像をパースで印刷して、その見開きページを建物の画像の構図が同じで両建材の色柄が互いに異なるように複数設け、各見開きページに、その綴じ位置に対し対称な切り込みを見開きページの建物の画像の両建材を分離するように形成し、その切り込みで分離された部分をめくって他の見開きページの建物の画像に変え、元の見開きページの他の建材と比較するようにした。
【０００８】
具体的には、第１の発明は、左右方向に見開き可能に綴じられた複数のページを有し、少なくとも建物に鉛直縦方向に施工される縦建材と水平横方向に施工される横建材との間の色柄の組み合わせを確認するための冊子が対象である。
【０００９】
そして、見開きページに、少なくとも縦建材及び横建材を有する建物の画像が、左右ページで同じ建物として連続するように、かつ左右長さ及び高さが奥側に向かうに従って小さくなり綴じ位置に向かって収束する消失点（vanishing point）を有する一点透視の遠近法（パース）で印刷され、この印刷された建物の画像は、その構図が見開きページ毎に同じでかつ上記縦建材及び横建材の色柄が見開きページ毎に異なっており、中間に位置する見開きページには、該見開きページを上記建物の画像の縦建材及び横建材の一方が他方の建材から切り離されるように上下方向に複数の分割部に分割する少なくとも１つの切り込みが綴じ位置に対して左右対称に形成され、上記見開きページの分割部をめくることで、建物の画像の縦建材又は横建材の一方が他の見開きページの建物の画像の同じ建材に変更されて元の見開きページにおける建物の画像の他方の建材と組み合わせ可能とされていることを特徴とする。
【００１０】
この第１の発明では、見開きページに、少なくとも縦建材及び横建材を有する建物の画像が見開きページ毎に同じ構図の一点透視の遠近法でかつ縦建材及び横建材の色柄が異なるように印刷されている冊子に対し、その見開きページに、上下方向に複数の分割部に分割する少なくとも１つの切り込みを綴じ位置に対して左右対称に形成し、この切り込みにより、見開きページに印刷された建物の画像の縦建材及び横建材の一方が他方の建材から切り離されるようになっているので、その見開きページの分割部をめくることで、建物の画像の縦建材又は横建材の一方が変更され、その変更した縦建材又は横建材の一方が元の建物の画像の見開きページにおける他方の建材と組み合わされ、このように組み合わされた建材同士の色柄を確認することができる。
【００１１】
そのとき、印刷された建物の画像の縦建材及び横建材の色柄が見開きページ毎に異なっているので、建材同士について複数の色柄の組み合わせを確認することができる。
【００１２】
また、このように冊子の見開きページに少なくとも縦建材及び横建材を有する建物の画像が印刷されているので、建材同士の色柄の確認のためにはその分割部をめくるだけでよく、確認シートを別途用意せずとも済み、容易に建材同士の色柄を確認することができる。さらに、建物の場所が異なる場合であっても、その各場所における縦建材及び横建材を有する建物の画像をそれぞれ見開きページに印刷しておけばよく、複数の確認シートは不要である。よって、建材同士の色柄の組み合わせを確認する際の使い勝手が高くなる。
【００１３】
第２の発明は、第１の発明において、見開きページに、建物において鉛直縦方向又は水平横方向に対し斜めになった斜め部分に施工される斜め部用建材と、縦建材及び横建材の少なくとも一方とを有する建物の画像が、左右ページで同じ建物として連続するように、かつ綴じ位置に向かって収束する消失点を有する一点透視の遠近法で印刷され、この印刷された建物の画像の斜め部用建材の色柄が見開きページ毎に異なっており、中間に位置する見開きページの切り込みは、上記印刷された建物の画像の斜め部用建材が縦建材及び横建材の少なくとも一方から切り離されるように形成され、見開きページの分割部をめくることで、建物の画像の斜め部用建材が他の見開きページの建物の画像の斜め部用建材に変更されて元の見開きページにおける建物の画像の縦建材及び横建材の少なくとも一方と組み合わせ可能とされていることを特徴とする。
【００１４】
この第２の発明では、冊子の見開きページの切り込みは、印刷された建物の画像の斜め部用建材が縦建材及び横建材の少なくとも一方から切り離されるように形成されているので、見開きページの分割部をめくることで、建物の画像の斜め部用建材が他の見開きページの建物の画像の斜め部用建材に変更されて元の見開きページにおける建物の画像の縦建材及び横建材の画像の少なくとも一方と組み合わされる。よって、斜め部用建材と縦建材及び横建材の一方との間の色柄を容易に確認でき、その使い勝手を高めることができる。
【００１５】
第３の発明は、第１又は第２の発明において、上記切り込みは折れ線であることを特徴とする。
【００１６】
この第３の発明では、切り込みは複数の直線が折れ曲がって接続された折れ線であり、望ましい形状の切り込みが得られるとともに、単なる直線に比べ、本発明に係る建材コーディネート確認冊子を使用する使用者により強い印象を与えて注意を引くことができ、冊子の提案ツールとしての効果をより強化することができる。
【００１７】
第４の発明は、第２の発明において、建物の斜め部分に施工される斜め部用建材は、階段の踏板及び該階段の側壁に取り付けられる手摺りであることを特徴とする。
【００１８】
この第４の発明では、階段の踏板及び手摺りと、縦建材及び横建材の少なくとも一方との間の色柄を容易に確認することができる。
【００１９】
第５の発明は、第１又は第３の発明において、見開きページには、該見開きページを上下方向に３つの分割部に分割する２つの切り込みが綴じ位置に対して左右対称に形成されていることを特徴とする。
【００２０】
この第５の発明では、見開きページに、３つ以上の縦建材や横建材を有する建物の画像が印刷されているときに、それら建材を分割部毎に分けることができる。
【００２１】
第６の発明は、第１〜第５の発明のいずれか１つにおいて、縦建材は室内における内装壁、建具又はキャビネットであり、横建材は床であることを特徴とする。
【００２２】
この第６の発明では、室内の内装壁、建具又はキャビネットと床との間の色柄を容易に確認することができる。
【００２３】
第７の発明は、第１〜第５の発明のいずれか１つにおいて、縦建材は室内における内装壁、建具又はキャビネットであり、横建材は天井であることを特徴とする。
【００２４】
この第７の発明では、室内の内装壁、建具又はキャビネットと天井との間の色柄を容易に確認することができる。
【００２５】
第８の発明は、第１〜第５の発明のいずれか１つにおいて、縦建材は室内における内装壁、建具又はキャビネットであり、横建材は床及び天井であることを特徴とする。
【００２６】
この第８の発明では、室内の内装壁、建具又はキャビネットと、床及び天井との間の色柄を容易に確認することができる。
【発明の効果】
【００２７】
以上説明したように、第１〜第８の発明によると、左右方向に見開き可能に綴じられた複数のページを有する冊子の見開きページに、少なくとも縦建材及び横建材を有する建物の画像を見開きページ毎に同じ構図でかつ縦建材及び横建材の色柄が異なるように綴じ位置に向かって収束する消失点を有する一点透視の遠近法で印刷し、その見開きページに、見開きページを印刷された建物の画像の縦建材及び横建材の一方が他方の建材から切り離されるように上下方向に複数の分割部に分割する少なくとも１つの切り込みを綴じ位置に対して左右対称に形成し、分割部をめくって建物の画像の縦建材又は横建材の一方を他の見開きページの同じ建材に変更して元の見開きページにおける他方の建材の画像と組み合わせるようにしたことにより、別途に確認シートを要することなく、建材同士について複数の色柄の組み合わせを確認でき、建材同士の色柄の組み合わせを確認する際の使い勝手の向上を図ることができる。
【００２８】
特に、第２及び第４の発明によると、見開きページに、建物の斜め部分に施工される斜め部用建材と縦建材及び横建材の少なくとも一方とを有する建物の画像を遠近法で印刷し、見開きページの切り込みを、建物の画像の斜め部用建材が縦建材及び横建材の少なくとも一方から切り離されるように形成し、見開きページの分割部をめくって斜め部用建材を他の見開きページの斜め部用建材に変更して元の見開きページにおける縦建材及び横建材の少なくとも一方と組み合わせるようにしたことにより、斜め部用建材と縦建材及び横建材の一方との間の色柄を容易に確認でき、その使い勝手を高めることができる。
【００２９】
また、第３の発明によると、切り込みが折れ線であるので、冊子の使用者により強い印象を与えて、冊子の提案ツールとしての効果をより強化することができる。
【図面の簡単な説明】
【００３０】
【図１】図１は、本発明の実施形態に係る建材コーディネート確認冊子を示す図である。
【図２】図２は、建材コーディネート確認冊子の第１ページ群を開いたときの見開きページを示す図である。
【図３】図３は、第１ページ群の見開きページの分割部をめくる状態を示す図である。
【図４】図４は、見開きページの分割部がめくられた状態を示す図である。
【図５】図５は、建材コーディネート確認冊子の第２ページ群を開いたときの見開きページを示す図である。
【図６】図６は、第２ページ群の見開きページの分割部をめくる状態を示す図である。
【図７】図７は、見開きページの分割部がめくられた状態を示す図である。
【発明を実施するための形態】
【００３１】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３２】
図１は本発明の実施形態に係る建材コーディネート確認冊子Ａを示す。この冊子Ａは、建物に鉛直縦方向に施工される縦建材と、水平横方向に施工される横建材と、建物において鉛直縦方向又は水平横方向に対し斜めになった斜め部分に施工される斜め部用建材との間の色柄の組み合わせを確認するためのカタログ等として用いられる。上記縦建材、横建材、斜め部用建材の具体例については後述する。
【００３３】
冊子Ａは、左右方向に見開き可能に綴じられた複数のページを有し、これらのページには、縦建材及び横建材を有する室内の写真Ｐ，Ｐ，…（建物の画像）が印刷された第１ページ群Ａ１（図２〜図４参照）と、縦建材、横建材及び斜め部用建材を有する室内の写真Ｐ，Ｐ，…（建物の画像）が印刷された第２ページ群Ａ２（図５〜図７参照）とが部分的に又は全体として設けられている。尚、室内の写真Ｐの代わりに、イラスト等による画像を印刷するようにしてもよい。
【００３４】
（第１ページ群）
図２〜図４に示すように、上記第１ページ群Ａ１は複数の左右見開きページからなり、その各見開きページに、縦建材及び横建材を写した室内の写真Ｐが、左右ページで同じ室内（リビング）として連続するように、かつ左右長さ及び高さが奥側に向かうに従って小さくなり綴じ位置Ｂに向かって収束する消失点（vanishing point）を有する一点透視の遠近法（いわゆるパース）で印刷されている。具体的には、この第１ページ群Ａ１の各見開きページには、１つの室内（リビング）を広角レンズ等によって写した写真が印刷されている。
【００３５】
この印刷された写真中の室内について説明すると、室内には床１、天井２、正面の内装壁３及び左側の内装壁４が施工され、正面の内装壁３には左右中央の左側寄り位置に作り付けの収納キャビネット６が、また右側には建具としてのドア７が施工されている。また、向かって左側の内装壁にはその全体に建具としてのドア８が施工されている。また、床１上にはテーブル９や椅子１０がセットされている。
【００３６】
尚、見開きページにおいて、室内の写真Ｐの右側の内装壁に相当する位置には該内装壁が印刷されておらず、例えば上記収納キャビネット６及びドア７，８に関して色柄の名称やデザイン等の説明が記載されている。こうすることで、その収納キャビネット６及びドア７，８の材料や色柄を説明によって容易に把握することができる。
【００３７】
この第１ページ群Ａ１では、横建材は床１及び天井２である。また、縦建材は、正面の内装壁３に施工された収納キャビネット６及びドア７と、左側の内装壁４に施工されたドア８とであり、内装壁３，４自体は縦建材としていない。そして、印刷された室内の写真Ｐ内は、その構図がいずれの見開きページでも同じであり、ページをめくって見開きページを変えたとしても、各見開きページの室内の写真Ｐにおける正面の内装壁３（床１及び天井２の奥端縁）の左右中央が冊子Ａの綴じ位置Ｂに位置し、天井２と正面の内装壁３との見切りが上下方向に互いに一致し、天井２と左側の内装壁４との見切りが上下及び左右方向に互いに一致し、正面の内装壁４と床１との見切りも上下方向に互いに一致し、さらに左側の内装壁４と床１との見切りも上下及び左右方向に互いに一致するように同一のレイアウトで印刷されている。
【００３８】
また、ある１つの見開きページについてみれば、上記印刷された室内の写真Ｐにおける横建材としての床１及び天井２は左右ページで同じ色柄であり、縦建材としての収納キャビネット６及び２つのドア７，８の色柄も左右ページで同じであるが、複数の見開きページ間の関係をみると、室内の写真Ｐの横建材としての床１及び天井２、縦建材としての収納キャビネット６、２つのドア７，８の色柄は見開きページ毎に互いに異なっている（図２、図４参照）。換言すれば、これら複数の見開きページの室内の写真Ｐは、同一の室内（リビング）において床１、天井２、収納キャビネット６、ドア７，８等の建材の材質や色柄を種々に異ならせて施工し、それら複数の施工状態を同じ定位置で写したものである。
【００３９】
図２及び図４に示すように、第１ページ群Ａ１において、その両端のページを除く中間に位置する見開きページには、該見開きページを上記印刷された室内の写真Ｐの収納キャビネット６及びドア７，８（縦建材）が床１又は天井２（いずれも横建材）から切り離されるように上下方向に３つの分割部Ｄ１〜Ｄ３に分割する上下２つの切り込みＳ，Ｓが綴じ位置Ｂに対して左右対称に形成されている。
【００４０】
すなわち、上側の切り込みＳは、冊子Ａの綴じ位置Ｂから室内の写真Ｐにおける天井２と正面の内装壁３及び左側の内装壁４（印刷されていない右側の内装壁）との見切りの位置に沿うように延びている。具体的には、この切り込みＳは折れ線であり、冊子Ａの綴じ位置Ｂから水平左右方向に直線状に延びた後に折れ曲がって左右両側部が上側に向かうように傾斜して直線状に延びている。
【００４１】
一方、下側の切り込みＳは、冊子Ａの綴じ位置Ｂから写真における床１と正面の内装壁３及び左側の内装壁４（印刷されていない右側の内装壁も含む）との見切りの位置に沿うように延びている。具体的には、下側の切り込みＳも折れ線であり、冊子Ａの綴じ位置Ｂから水平左右方向に直線状に延びた後に折れ曲がって左右両側部が下側に向かうように傾斜して直線状に延びている。
【００４２】
このことで、上側の切り込みＳにより室内の写真Ｐにおける天井２と、内装壁３，４に施工された収納キャビネット６及びドア７，８とが切り離され、下側の切り込みＳにより該収納キャビネット６及びドア７，８と床１とが切り離されており、天井２と、収納キャビネット６及びドア７，８と、床１とがそれぞれ分割部Ｄ１〜Ｄ３毎に分けられ、天井２は上側の分割部Ｄ１に、また収納キャビネット６及びドア７，８は中央の分割部Ｄ２に、さらに床１は下側の分割部Ｄ３にそれぞれ含まれている。
【００４３】
そして、見開きページの３つの分割部Ｄ１〜Ｄ３の少なくとも１つをめくることで、室内の写真Ｐの収納キャビネット６及びドア７，８（或いは床１又は天井２）が他の見開きページの室内の写真Ｐにおける同じ収納キャビネット６及びドア７，８（同床１又は天井２）に変更されて元の見開きページにおける室内の写真Ｐの床１又は天井２（同収納キャビネット６及びドア７，８）と組み合わせ可能とされている。
【００４４】
例えば、上側の分割部Ｄ１をめくることで、天井２が他の見開きページの同じ天井２に変更され、このことで、その変更された天井２と、元の見開きページにおける床１又は収納キャビネット６及びドア７，８とを組み合わせることができる。また、図３に示すように、上下中央の分割部Ｄ２をめくることで、収納キャビネット６及びドア７，８が他の見開きページの同じ収納キャビネット６及びドア７，８に変更され、このことで、その変更された収納キャビネット６及びドア７，８と、元の見開きページにおける床１又は天井２とを組み合わせることができる。さらに、下側の分割部Ｄ３をめくることで、床１が他の見開きページの同じ床１に変更され、このことで、その変更された床１と、元の見開きページにおける天井２又は収納キャビネット６及びドア７，８とを組み合わせることができる。
【００４５】
尚、見開きページの左右両側の下部（下側の分割部Ｄ３）に冊子Ａのページ番号が付されており、このことで、見開きページの冊子Ａ全体での位置を把握できるようになっている。
【００４６】
（第２ページ群）
第２ページ群Ａ２は第１ページ群Ａ１と同様であるが、対象とする室内（建物）が異なり、斜め部用建材が加わっている。図５〜図７に示すように、第２ページ群Ａ２も複数の左右見開きページからなり、その各見開きページに、縦建材、横建材及び斜め部用建材を有する室内の写真Ｐ（建物の画像）が、左右ページで同じ室内（玄関）として連続するように、かつ綴じ位置Ｂに向かって収束する消失点（vanishing point）を有する一点透視の遠近法（パース）で印刷されている。具体的には、この第２ページ群Ａ２の各見開きページには、１つの室内（玄関）を広角レンズ等によって写した写真が印刷されている。
【００４７】
この印刷された写真中の室内について説明すると、室内には土間１１、床１（上がり框を含む）、天井２、左側の内装壁４、右側の内装壁５、この右側の内装壁５に連続する側壁１２ａと踏板１３，１３，…とを有しかつ床１に連続する階段１２、その階段１２の側壁１２ａに階段１２に沿って傾斜するように配置された手摺り１５がそれぞれ施工されている。左側の内装壁４には窓１６と、その右側に位置する作り付けの玄関用収納キャビネット１７とが施工されている。また、右側の内装壁５には建具としてのドア１８と、その右側に飾り棚１９とが施工されている。また、床１上には観葉植物２０がセットされている。
【００４８】
この第２ページ群Ａ２では、横建材は床１及び天井２であり、縦建材は、左側及び右側の内装壁４，５に施工された収納キャビネット１７及びドア１８であり、斜め部用建材は階段１２の踏板１３，１３，…及び手摺り１５である（内装壁４，５自体は縦建材としていない）。そして、印刷された室内の写真Ｐは、その構図が見開きページ毎に同じであり、ページをめくって見開きページを変えたとしても、いずれの見開きページでも、写真Ｐにおける左右の内装壁４，５同士（床１及び天井２）のコーナーが冊子Ａの綴じ位置Ｂに位置し、天井２と左右の内装壁４，５との見切りが上下方向に互いに一致し、左右の内装壁４，５と床１との見切りも上下方向に互いに一致し、さらに階段１２及び手摺り１５も上下及び左右方向に互いに一致するように同一のレイアウトで印刷されている。
【００４９】
また、ある１つの見開きページについてみれば、上記印刷された室内の写真Ｐにおける横建材としての床１及び天井２、斜め部用建材としての階段１２の踏板１３，１３，…及び手摺り１５は左右ページで同じ色柄であり、縦建材としての収納キャビネット１７及びドア１８の色柄も左右ページで同じであるが（天井２の色柄は収納キャビネット１７及びドア１８と同じである）、複数の見開きページ間の関係をみると、室内の写真Ｐの横建材としての床１及び天井２、斜め部用建材としての階段１２の踏板１３，１３，…及び手摺り１５、縦建材としての収納キャビネット１７、ドア１８の色柄は見開きページ毎に互いに異なっている（図５、図７参照）。換言すれば、これら複数の見開きページの室内の写真Ｐは、同一の室内（玄関）において床１、天井２、収納キャビネット１７、ドア１８、階段１２の踏板１３，１３，…、手摺り１５等の建材の材質や色柄を種々に異ならせて施工し、それら複数の施工状態を定位置で写したものである。
【００５０】
図５及び図７に示すように、第２ページ群Ａ２において、その両端のページを除く中間に位置する見開きページには、該見開きページを上記印刷された室内の写真Ｐの収納キャビネット１７及びドア１８（縦建材）が床１（横建材）並び階段１２の踏板１３，１３，…及び手摺り１５（いずれも斜め部用建材）から切り離されるように上下方向に２つの分割部Ｄ１，Ｄ２に分割する１つの切り込みＳが綴じ位置Ｂに対して左右対称に形成されている。
【００５１】
すなわち、この切り込みＳは折れ線であり、冊子Ａの綴じ位置Ｂから室内の写真Ｐにおける床１と左右の内装壁４，５との見切りの位置に沿って左右両側に向かって下側に向かうように傾斜して直線状に延びた後に折れ曲がり、右側部にあっては、階段１２の側壁１２ａのうちの手摺り１５上側の部分を手摺り１５と平行に延びるように右上がりに傾斜し、左側部にあっては、床１の手前側端部近くの左側の内装壁４下部から窓１６を横切るように左上がりに傾斜してそれぞれ直線状に延びている。この切り込みＳにより室内の写真Ｐにおける床１、階段１２の踏板１３，１３，…及び手摺り１５と、左右の内装壁４，５にそれぞれ施工された収納キャビネット１７及びドア１８とが切り離されており、床１、階段１２の踏板１３，１３，…及び手摺り１５と、収納キャビネット１７及びドア１８とがそれぞれ分割部Ｄ１，Ｄ２毎に分けられ、床１、階段１２の踏板１３，１３，…及び手摺り１５は上側の分割部Ｄ１に、また収納キャビネット１７及びドア１８は下側の分割部Ｄ２にそれぞれ含まれている。
【００５２】
そして、見開きページの２つの分割部Ｄ１，Ｄ２の１つをめくることで、室内の写真Ｐの収納キャビネット１７及びドア１８（或いは床１並びに階段１２の踏板１３，１３，…及び手摺り１５）が他の見開きページの室内の写真Ｐにおける同じ収納キャビネット１７及びドア１８（同床１並びに階段１２の踏板１３，１３，…及び手摺り１５）に変更されて元の見開きページにおける室内の写真Ｐにおける床１並びに階段１２の踏板１３，１３，…及び手摺り１５（同収納キャビネット１７及びドア１８）と組み合わせ可能とされている。
【００５３】
例えば、上側の分割部Ｄ１をめくることで、収納キャビネット１７及びドア１８が天井２と共に他の見開きページの同じ収納キャビネット１７及びドア１８（天井２）に変更され、このことで、その変更された収納キャビネット１７及びドア１８（天井２）と、元の見開きページにおける床１並びに階段１２の踏板１３，１３，…及び手摺り１５とを組み合わせることができる。
【００５４】
また、図６に示すように、下側の分割部Ｄ２をめくることで、床１並びに階段１２の踏板１３，１３，…及び手摺り１５が他の見開きページの同じ床１並びに階段１２の踏板１３，１３，…及び手摺り１５に変更され、このことで、その変更された床１並びに階段１２の踏板１３，１３，…及び手摺り１５と、元の見開きページにおける収納キャビネット１７及びドア１８（天井２）とを組み合わせることができる。
【００５５】
尚、この第２ページ群Ａ２においても、見開きページの左右両側の下部（下側の分割部）に冊子Ａのページ番号が付されており、このことで、見開きページの冊子Ａ全体での位置を把握できるようになっている。
【００５６】
（使用方法）
次に、上記建材コーディネート確認冊子Ａの使用方法について説明する。まず、第１ページ群Ａ１においては、見開きページを室内の写真Ｐにおける収納キャビネット６及びドア７，８（縦建材）が床１又は天井２（いずれも横建材）から切り離されるように上下方向に３つの分割部Ｄ１〜Ｄ３に分割する上下２つの切り込みＳ，Ｓが綴じ位置Ｂに対して左右対称に形成されている。そのため、３つの分割部Ｄ１〜Ｄ３のいずれかをめくることで、収納キャビネット６及びドア７，８と床１と天井２とのうちのいずれか１つの色柄を変更して残りの建材の色柄との組み合わせを確認することができる。
【００５７】
例えば天井２の色柄を変更するとき、上側の分割部Ｄ１をめくれば、室内の写真Ｐにおける天井２が他の見開きページの同じ天井２に変更される。このことで、その変更された天井２と、元の見開きページにおける床１又は収納キャビネット６及びドア７，８とを組み合わせることができ、その組み合わせについて色柄を確認すればよい。
【００５８】
また、収納キャビネット６及びドア７，８の色柄を変更するときには、図３に示すように、上下中央の分割部Ｄ２をめくることで、収納キャビネット６及びドア７，８が他の見開きページの同じ収納キャビネット６及びドア７，８に変更される。このことで、その変更された収納キャビネット６及びドア７，８と、元の見開きページにおける床１又は天井２とを組み合わせることができ、その組み合わせについて色柄を確認する。
【００５９】
さらに、床１の色柄を変更するときには、下側の分割部Ｄ３をめくればよい。このことで、床１が他の見開きページの同じ床１に変更され、このことで、その変更された床１と、元の見開きページにおける天井２又は収納キャビネット６及びドア７，８とを組み合わせることができ、その組み合わせについて色柄を確認すればよい。
【００６０】
また、収納キャビネット６及びドアと床１と天井２とのうちの２つについての色柄を変更して残りの建材の色柄との組み合わせを確認することもできる。例えば床１及び天井２の色柄を変更して収納キャビネット６及びドア７，８の色柄との組み合わせを確認するときには、上下２つの分割部Ｄ１，Ｄ２を同時にめくればよく、床１及び天井２が同時に他の見開きページの同じ床１及び天井２に変更され、その変更された床１及び天井２と、元の見開きページにおける収納キャビネット６及びドア７，８とを組み合わせて、その組み合わせについて色柄を確認すればよい。
【００６１】
一方、第２ページ群Ａ２においては、見開きページを室内の写真Ｐにおける収納キャビネット１７及びドア１８（縦建材）が床１（横建材）並び階段１２の踏板１３，１３，…及び手摺り１５（いずれも斜め部用建材）から切り離されるように上下方向に２つの分割部Ｄ１，Ｄ２に分割する１つの切り込みＳが綴じ位置Ｂに対して左右対称に形成されている。そのため、２つの分割部Ｄ１，Ｄ２のいずれかをめくることで、収納キャビネット１７及びドア１８（及び天井２）と床１並びに階段１２の踏板１３，１３，…及び手摺り１５とのうちのいずれか１つについての色柄を変更して残りの建材の色柄との組み合わせを確認することができる。
【００６２】
例えば、収納キャビネット１７及びドア１８（及び天井２）の色柄を変更するときには、上側の分割部Ｄ１をめくることで、収納キャビネット１７及びドア１８が天井２と共に他の見開きページの同じ収納キャビネット１７及びドア１８（天井２）に変更される。このことで、その変更された収納キャビネット１７及びドア１８（天井２）と、元の見開きページにおける床１並びに階段１２の踏板１３，１３，…及び手摺り１５とを組み合わせることができ、その組み合わせについて色柄を確認すればよい。
【００６３】
また、床１並びに階段１２の踏板１３，１３，…及び手摺り１５の色柄を変更するときには、図６に示すように、下側の分割部Ｄ２をめくればよい。このことで、床１並びに階段１２の踏板１３，１３，…及び手摺り１５が他の見開きページの同じ床１並びに階段１２の踏板１３，１３，…及び手摺り１５に変更され、その変更された床１並びに階段１２の踏板１３，１３，…及び手摺り１５と、元の見開きページにおける収納キャビネット１７及びドア１８（天井２）とを組み合わせることができ、その組み合わせについて色柄を確認すればよい。
【００６４】
したがって、この実施形態においては、冊子Ａの見開きページに、収納キャビネット６，１７、ドア７，８，１８、床１、天井２、階段１２の踏板１３，１３，…及び手摺り１５を有する室内の写真Ｐが遠近法で印刷され、それらが切り込みＳによって分割されているので、これらの建材同士の色柄を確認するためにはその分割部Ｄ１〜Ｄ３をめくるだけでよく、確認シートを別途用意することなく容易に建材同士の色柄を確認することができる。しかも、建物の場所が異なる場合であっても、その各場所における縦建材及び横建材の画像をそれぞれ見開きページに印刷しておけばよく、複数の確認シートは不要である。よって、建材同士の色柄の組み合わせを確認する際の使い勝手が高い。
【００６５】
その際、切り込みＳが、水平方向や斜め方向に延びる複数の直線が折れ曲がって接続された折れ線であるので、切り込みを単なる水平方向の直線とした場合に比べ、冊子Ａを使用する使用者や見る人に強い印象を与えて注意を引くことができる。よって、建材コーディネート確認冊子Ａの提案ツールとしての効果をより強化することができる。
【００６６】
（その他の実施形態）
尚、上記実施形態では、室内の内装壁３〜５を縦建材の対象としていないが、この内装壁３〜５を縦建材としてもよいのは言うまでもない。
【００６７】
また、上記実施形態では、建物の斜め部分に施工される斜め部用建材は、階段１２の踏板１３，１３，…及びその側壁１２ａに取り付けられる手摺り１５としているが、例えば階段１２の蹴込板を追加又は変更してもよく、或いは他の建材を適用することもできる。
【００６８】
また、上記縦建材としては、上記収納キャビネット６，１７やドア７，８，１８（建具）の他、例えばキッチン、バス、洗面台等でもよく、これらと、床１や天井２等の横建材との間の色柄を確認するようにすることもできる。また、縦建材を建物の外壁とし、横建材を建物の屋根として、それらの間の色柄を確認するようにしてもよい。
【産業上の利用可能性】
【００６９】
本発明は、建物に施工される少なくとも縦建材と横建材との間の色柄を確認する際に冊子のみで容易に確認することができるので、極めて有用で産業上の利用可能性が高い。
【符号の説明】
【００７０】
Ａ  建材コーディネート確認冊子
Ａ１  第１ページ群
Ａ２  第２ページ群
Ｂ  綴じ位置
Ｐ  室内の写真（建物の画像）
Ｄ１〜Ｄ３  分割部
Ｓ  切り込み
１  床（横建材）
２  天井（横建材）
６  収納キャビネット（縦建材）
７，８  ドア（建具、縦建材）
１２  階段（建物の斜め部分）
１３  踏板（斜め部用建材）
１５  手摺り（斜め部用建材）
１７  玄関用収納キャビネット（縦建材）
１８  ドア（建具、縦建材）
【図２】
2014224884.tif 000003
【図３】
2014224884.tif 000004
【図４】
2014224884.tif 000005
【図５】
2014224884.tif 000006
【図６】
2014224884.tif 000007
【図７】
2014224884.tif 000008
【図１】
2014224884.tif 000009